(57)【要約】【課題】建物開口部枠に昇降機構により吊下した遮光スクリーンの側端の遮光を効果的に行うことが可能な遮光機構を提供する。【解決手段】上端をヘッドボックス１１に取り付け、下端に可動桟１２を取り付けた遮光スクリーン１０を昇降機構により昇降可能に吊下した遮光スクリーン装置を、該遮光スクリーンの各筒状部１０ａの両端部が対面するスクリーン枠１５の内側面に沿って、該筒状部の開口端面に接離する遮光面３１ａをもつ遮光部材３０を収容するための溝状部２５ａを備えた遮光レール部材２５を縦設し、そこに該遮光部材を吊下することによって構成する。該遮光部材は、その上端部が遮光スクリーンの上端部に接する部位に保持され、下部は可動桟の昇降に伴って該可動桟に設けた押圧子１２ａにより傾動し、可動桟がスクリーン枠の最下端に達したときに、遮光部材を遮光スクリーンの筒状部に押し付ける。【選択図】図１
2020090858.tif 000002
【特許請求の範囲】
【請求項１】
折り畳み可能なシート状遮光素材により形成した水平配置の筒状部を単層又は複数層で上下方向に並設してなる遮光スクリーンを備え、該遮光スクリーンの上端をヘッドボックスに取り付けると共に、該遮光スクリーンの下端に可動桟を取り付け、上記ヘッドボックスをスクリーン枠の上枠に取り付けて、該ヘッドボックスに設けた昇降機構により上記可動桟を上下方向に昇降可能に吊下し、上記スクリーン枠内に該遮光スクリーンを展張・折り畳み自在に支持させた遮光スクリーン装置において、
上記遮光スクリーンの各筒状部の両端部がそれぞれ対面するスクリーン枠の内側面に沿って、該筒状部の端面に接離する遮光部材を収容するための溝状部を備えた遮光レール部材を縦設し、
該遮光部材は、上記筒状部の端部に対面してそれに接離する遮光面を備えると共に、上記遮光レール部材に対し、該遮光部材の上端部が上記遮光スクリーンの上端部に接する部位にあって、その傾動により上記遮光面が上記筒状部の端部に全面的に接離する吊下状態に係合保持されたものとし、
該遮光部材の下部側においては、上記可動桟の遮光部材側端部に、該可動桟の昇降時に常に該遮光部材の遮光面を押圧して該遮光面と上記筒状部の端部との間に隙間を形成させる押圧子を付設し、しかも、上記遮光部材の遮光面の下端に、上記可動桟がスクリーン枠の最下端に達したときに、該可動桟の押圧子による遮光面の押圧を解消させる凹部を設けると共に、上記遮光部材と上記可動桟との間に、それらを相互に接触させる方向に付勢する付勢機構を付設している、
ことを特徴とする遮光スクリーン装置。
【請求項２】
請求項１に記載の遮光スクリーン装置において、
スクリーン枠の内側面に沿って縦設した遮光レール部材に係合保持させる遮光部材の上下端に、それぞれ上端キャップ及び下端キャップを固定し、該上端キャップ及び下端キャップには、上記遮光レール部材の上下端における溝状部の両側係合縁に対して、上記遮光部材の遮光面を上記筒状部の端部に接離する方向に変位可能に係止する一対の係止鉤を備えることにより、上記遮光部材を遮光レール部材に対して係合保持させたうえで、該遮光部材の上端部を上記遮光スクリーンの上端部に接する部位に対して弾性的に押圧保持させている、
ことを特徴とする遮光スクリーン装置。
【請求項３】
請求項２に記載の遮光スクリーン装置において、
上記上端キャップと上記遮光レール部材の溝状部の内底との間に、遮光部材の上端部を遮光スクリーンの上端部に接する部位に対して弾性的に押圧するスプリングを配設している、
ことを特徴とする遮光スクリーン装置。
【請求項４】
請求項２又は３に記載の遮光スクリーン装置において、
上記下端キャップと可動桟とを相互に接触させる方向に付勢する付勢機構として、該下端キャップと可動桟との一方に、マグネット片を、他方に該マグネット片との間で磁気的吸引力を発生させる磁性体を配設している、
ことを特徴とする遮光スクリーン装置。
【発明の詳細な説明】
【技術分野】
【０００１】
本発明は、建物開口部等における縦引き収納タイプの遮光スクリーン装置に関するものであり、更に具体的には、遮光性のハニカムスクリーンや、それに類する遮光スクリーンの建物開口部枠内への設置に際し、該遮光スクリーンの側端の遮光を効果的に行い得る遮光機構を備えたところの遮光スクリーン装置に関するものである。
【背景技術】
【０００２】
既知の遮光スクリーン装置としては、通常、図８の（ａ）に示すように折り畳み可能な可撓のシート状遮光素材により形成した水平配置の筒状部１０ａを単層に並設したところの、シングルハニカムと呼び得る断面形状の遮光スクリーン１０や、同様な筒状部１０ａを、図８の（ｂ）に示すような複数層に順次並設したダブルハニカムと呼び得る断面形状の遮光スクリーン１０が用いられ、それらによって、図７に概要を示すように、該遮光スクリーン１０をスクリーン枠１５に上下方向に展張・折り畳み自在に設置したものが知られている。
【０００３】
既知の遮光スクリーン装置の概要を示す図７を参照し、図８の（ａ）又は（ｂ）に示すような断面形状の遮光スクリーン１０を用いて、それらをスクリーン枠１５に設置する場合の遮光の態様について具体的に説明すると、該遮光スクリーン装置では、上下方向に展張・折り畳み自在とした上記遮光スクリーン１０を、その両端が開口する筒状部１０ａを水平方向に向けて、上端をヘッドボックス１１に支持させると共に、該遮光スクリーン１０の下端に、重錘としての機能をも備える可動桟１２を取り付けている。そして、該遮光スクリーン１０のヘッドボックス１１には、該遮光スクリーンを昇降させる昇降機構１３を収容してそれらをスクリーン枠１５の上枠１６に取り付け、一方、上記遮光スクリーン１０の下端に取り付けた可動桟１２には、それを昇降させるための複数のコード１３ａの下端を間隔を置いて取り付け、それらを遮光スクリーン１０の筒状部内において上方に導出し、上記ヘッドボックス１１に設けた昇降機構１３に対し、上下方向に昇降可能に吊下し、その駆動により遮光スクリーン１０を折り畳み、或いは遮光のために該遮光スクリーンを下方に展張させ、上枠１６と可動桟１２との間に該遮光スクリーンを展張可能に構成している。
【０００４】
このような既知の遮光スクリーン装置において、上記遮光スクリーン１０をスクリーン枠１５の上枠１６と下枠１７との間の任意の範囲に張設するに当たっては、上記各筒状部１０ａの両端面とそれに対向するスクリーン枠１５の側枠１８の内側面との間に僅かな隙間１９を設け、上記昇降機構１３による遮光スクリーン１０の展張・折り畳み操作を行う際に、該筒状部１０ａの端面とスクリーン枠１５の側枠１８の内側面とが摩擦接触するのを避けることにより、遮光スクリーン１０の昇降の円滑化を図ると共に、該筒状部１０ａの端部の摩擦による損耗の防止を図り、該遮光スクリーン１０に耐久性を付与する必要がある。しかしながら、上記隙間１９が存在すれば、その隙間を通してスクリーンの一面側の光が他面側に漏れるため、該光の漏れも抑止することが求められる高度の遮光性を得る場合には、それに対する対応策を考慮する必要がある。
【０００５】
上述した高度の遮光性を得る場合には、図９又は図１０に示すような構成を採用することが一般的に考慮されている。これらの構成は、上記遮光スクリーン１０の筒状部１０ａの端面とスクリーン枠１５の側枠１８の内側面等とが摩擦接触するのを避けながら、それらの間に設けた隙間ｔを通して光が遮光スクリーンの反対側に直接的に照射するのを封じるようにした点で有効なものである。
【０００６】
更に具体的に説明すると、図９に例示する構成は、上記スクリーン枠１５の側枠１８の内側面側に、上記筒状部１０ａの端部を覆うようなコ字状断面の防漏レール２０を上下方向に向けて配設することにより、光の漏れの抑制機構を構成したもので、同図の（ａ）では、遮光スクリーン１０を上下方向に折り畳んだ幅広の状態でもその筒状部１０ａの端部を防漏レール２０内に挿入し得る溝幅とすればよいことを示し、また、同図の（ｂ）は遮光スクリーン１０を上下方向に展張させた状態で、その筒状部１０ａの端部が防漏レール２０の溝幅よりも小さくはなるが、該防漏レール内に保持させて光の漏れを防げることを示している。
【０００７】
一方、図１０に例示する構成では、遮光スクリーン１０における筒状部１０ａの端面に上下方向の切り溝１０ｂを切設し、上記スクリーン枠１５の側枠１８の内面側に、該切り溝１０ｂ内に挿入される凸板部２１ａを突設した断面Ｔ型の防漏レール２１の該凸板部を配設することにより、光の漏れの抑制機構を構成させた場合を示している。
なお、図９の場合と同様に、図１０の（ａ）は、遮光スクリーン１０を上下方向に折り畳んだ状態を示し、また、同図の（ｂ）は、遮光スクリーン１０を上下方向に展張させた状態を示し、いずれの場合も、防漏レール２１の凸板部２１ａを切り溝１０ｂ内に挿入しておくことにより、光の漏れを防げることを示している。
【０００８】
しかしながら、これらの光漏れの抑制機構によれば、上記隙間ｔを通して遮光スクリーン１０内に入射した光が、該遮光スクリーンの反対面側に直接的に照射して漏れるのを抑制することはできるが、遮光スクリーン１０内における表裏面間は、上記筒状部１０ａ内において反射を繰り返す迂回した通路により相互に連通し、より具体的にはスクリーン枠１５の側枠１８の内面側に沿って配設した防漏レール２０，２１の表面や、遮光スクリーン１０の内面において多重の反射を繰り返すことにより光が通過できる状態にあり、その通路の存在によって遮光率を極端に高めるのには困難性がある。
【０００９】
しかも、両図の（ｂ）に示している場合のように、遮光スクリーン１０が展張状態にあって、筒状部１０ａ内の空間が大きく開かれている場合、つまり、遮光率を可及的に高めたい状態にあるときに、該筒状部１０ａの端面も防漏レール２０，２１の表面との間に大きな開口部分を有し、そのため、上記筒状部１０ａ内において反射を繰り返す光の通路を著しく縮小することは困難である。
【発明の概要】
【発明が解決しようとする課題】
【００１０】
本発明の技術的課題は、上述した上下方向に折り畳み可能なシート状遮光素材により形成した遮光スクリーンを用い、該遮光スクリーンを建物開口部枠内において昇降機構により吊下して、その昇降を可能にすると共に、展張・折り畳み自在とした遮光スクリーン装置において、該建物開口部枠内における遮光スクリーンの側端の遮光を効果的に行うことが可能な遮光機構を備えた遮光スクリーン装置を提供することにある。
【００１１】
また、本発明の他の技術的課題は、上記遮光スクリーン装置において、遮光スクリーンを上下方向に折り畳む昇降機構の動作を有効に活用し、遮光スクリーンを開閉操作するところの遮光の必要がない段階では、該遮光スクリーンの両側端と建物開口部の側枠の内側面との間に隙間が存在することを許容し、しかしながら、遮光スクリーンを展張させて建物開口部の遮光を行う段階においては、該遮光スクリーンの両端と側枠の内側面との間に隙間が存在することがないようにし、遮光スクリーンの側端の遮光を効果的に行えるようにした遮光スクリーン装置を提供することにある。
【課題を解決するための手段】
【００１２】
上記課題を解決するため、本発明によれば、折り畳み可能なシート状遮光素材により形成した水平配置の筒状部を単層又は複数層で上下方向に並設してなる遮光スクリーンを備え、該遮光スクリーンの上端をヘッドボックスに取り付けると共に、該遮光スクリーンの下端に可動桟を取り付け、上記ヘッドボックスをスクリーン枠の上枠に取り付けて、該ヘッドボックスに設けた昇降機構により上記可動桟を上下方向に昇降可能に吊下し、上記スクリーン枠内に該遮光スクリーンを展張・折り畳み自在に支持させた遮光スクリーン装置において、上記遮光スクリーンの各筒状部の両端部がそれぞれ対面するスクリーン枠の内側面に沿って、該筒状部の端面に接離する遮光部材を収容するための溝状部を備えた遮光レール部材を縦設し、該遮光部材は、上記筒状部の端部に対面してそれに接離する遮光面を備えると共に、上記遮光レール部材に対し、該遮光部材の上端部が上記遮光スクリーンの上端部に接する部位にあって、その傾動により上記遮光面が上記筒状部の端部に全面的に接離する吊下状態に係合保持されたものとし、該遮光部材の下部側においては、上記可動桟の遮光部材側端部に、上記可動桟の昇降時に常に該遮光部材の遮光面を押圧して該遮光面と上記筒状部の端部との間に隙間を形成させる押圧子を付設し、しかも、上記遮光部材の遮光面の下端に、上記可動桟がスクリーン枠の最下端に達したときに、該可動桟の押圧子による遮光面の押圧を解消させる凹部を設けると共に、上記遮光部材と上記可動桟との間に、それらを相互に接触させる方向に付勢する付勢機構を付設していることを特徴とする遮光スクリーン装置が提供される。
【００１３】
本発明に係る上記遮光スクリーン装置の好ましい実施形態においては、上記スクリーン枠の内側面に沿って縦設した遮光レール部材に係合保持させる遮光部材の上下端に、それぞれ上端キャップ及び下端キャップを固定し、該上端キャップ及び下端キャップには、上記遮光レール部材の上下端における溝状部の両側係合縁に対して、上記遮光部材の遮光面を上記筒状部の端部に接離する方向に変位可能に係止する一対の係止鉤を備えることにより、上記遮光部材を遮光レール部材に対して係合保持させたうえで、該遮光部材の上端部を上記遮光スクリーンの上端部に接する部位に対して弾性的に押圧保持させているものとして構成される。
【００１４】
本発明に係る上記遮光スクリーン装置の他の好ましい実施形態においては、上記上端キャップと上記遮光レール部材の溝状部の内底との間に、遮光部材の上端部を遮光スクリーンの上端部に接する部位に対して弾性的に押圧するスプリングが配設される。
【００１５】
また、本発明に係る上記遮光スクリーン装置の他の好ましい実施形態においては、上記下端キャップと可動桟とを相互に接触させる方向に付勢する付勢機構として、該下端キャップと可動桟との一方に、マグネット片を、他方に該マグネット片との間で磁気的吸引力を発生させる磁性体を配設したものとして構成される。
【００１６】
上述した本発明に係る遮光スクリーン装置によれば、遮光スクリーンを建物開口部枠内に昇降機構により吊下して展張・折り畳み自在とした遮光スクリーン装置において、遮光スクリーンを開閉操作するところの遮光の必要がない段階では、可動桟の遮光部材側端部に付設した押圧子により常に該遮光部材を押圧して、該遮光面と遮光スクリーンとの間に隙間を形成させるようにしているので、遮光スクリーンの側端が遮光部材と摩擦接触するのを避け、遮光スクリーンの昇降の円滑化を図ることができると共に、遮光スクリーンの側端の摩擦による損耗の防止を図ることもでき、また、可動桟がスクリーン枠の最下端に達したときには、上記可動桟の押圧子による遮光部材の押圧を解消させ、遮光部材と可動桟との間に、それらを相互に接触させる方向に付勢する付勢機構を付設しているので、建物開口部枠内における遮光スクリーンの側端の遮光を効果的に行うことができる。
【発明の効果】
【００１７】
上述した本発明によれば、上下方向に折り畳み可能なシート状遮光素材により形成した遮光スクリーンの昇降による展張・折り畳みを行うようにした遮光スクリーン装置において、該建物開口部枠内における遮光スクリーンの側端の高度な遮光を効果的に行うことができ、また、遮光スクリーンを上下方向に折り畳む昇降機構の動作を有効に活用し、遮光スクリーンを開閉操作するところの遮光の必要がない段階では、該遮光スクリーンの両側端と遮光部材の内側面との間に隙間が存在するようにし、しかしながら、遮光スクリーンを展張させて建物開口部の遮光を行う段階においては、該遮光スクリーンの両端と遮光部材の内側面との間に隙間が存在することがないようにし、遮光スクリーンの側端の遮光を効果的に行うことができる。
【図面の簡単な説明】
【００１８】
【図１】本発明に係る遮光スクリーン装置の実施例における遮光スクリーンとその側端に接離して遮光を行う遮光部材との関連的構成を示し、（ａ）は遮光スクリーンが収納或いは非展張状態にあるときの要部縦断面図、（ｂ）は遮光スクリーンが展張状態にあるときの要部縦断面図である。
【図２】上記実施例における遮光レール部材と遮光部材との関連的構成を示す横断面図である。
【図３】上記実施例における遮光部材の上端に連結する上端キャップの構成を示すもので、（ａ）は該上端キャップの斜視図、（ｂ）は同正面図、（ｃ）は同縦断面図である。
【図４】上記実施例における遮光部材の下端に連結する下端キャップの構成を示すもので、（ａ）は該下端キャップの斜視図、（ｂ）は同正面図、（ｃ）は同縦断面図である。
【図５】遮光部材に連結した上端キャップ及び下端キャップにおける各一対の係止鉤を、遮光レール部材の上下端の係合縁に対し係合保持させた状態を示す縦断面図である。
【図６】図２における遮光レール部材と遮光部材との関連的構成に加え、それらと上端キャップ（２点鎖線）の位置的関係を示す横断面図である。
【図７】既知の遮光スクリーン装置の概要を示す正面図である。
【図８】筒状部の多数を上下に並設した既知の遮光スクリーンの断面形状を示すもので、（ａ）は該筒状部が単層に、（ｂ）は該筒状部が複数層に並設された形態を示す部分断面図である。
【図９】上記遮光スクリーンの筒状部端を、建物開口部枠にコ字状断面の防漏レールを介在させて吊下した態様を示し、（ａ）は遮光スクリーンを上下方向に折り畳んだ状態でその筒状部の端部を防漏レールに対向させた状態を、（ｂ）は遮光スクリーンを上下方向に展張させた状態でその筒状部の端部を防漏レールに対向させた状態を示す部分横断面図である。
【図１０】上記遮光スクリーンの筒状部端を建物開口部枠にＴ型断面の防漏レールを介在させて吊下した態様を示し、（ａ）は遮光スクリーンを上下方向に折り畳んだ状態でその筒状部の端部を防漏レールに対向させた状態を、（ｂ）は遮光スクリーンを上下方向に展張させた状態でその筒状部の端部を防漏レールに対向させた状態を示す部分横断面図である。
【発明を実施するための形態】
【００１９】
図面を参照して本発明に係る遮光スクリーン装置の実施例について詳細に説明するに、該遮光スクリーン装置は、図７及び図８等を参照して前述した既知の遮光スクリーン装置と比較して、基本構成において若干の共通点を有してはいるが、縦引き収納タイプの遮光スクリーンの建物開口部枠内への設置に際し、該遮光スクリーンの左右側端について高度の遮光を行い得る遮光機構を備えた点において、基本的に相違するところの大きな特徴を有するものである。
【００２０】
逆に、本発明に係る遮光スクリーン装置の基本構成で、既知のスクリーン装置の構成と共通しているのは、遮光スクリーン１０自体の構成や、該遮光スクリーンの上下端をヘッドボックス１１及び可動桟１２に取り付けて、該可動桟をヘッドボックスに設けた昇降機構１３により上下方向に駆動可能にし、該遮光スクリーンを展張・折り畳み自在とした構成などである。
このように、本発明に係る遮光スクリーン装置の基本構成自体は、図７及び図８等を参照して前述した既知のものと格別の差異がないので、ここでは、前記既知のものと共通する部分については説明をできるだけ省略するが、以下に説明する本発明の実施例の詳細図において、既知のものとの対応部分には同一の符号を付し、本明細書では、それらの符号を用いて本発明の実施例について説明することとする。
【００２１】
図１乃至図６の実施例を参照して以下に説明する本発明の遮光スクリーン装置は、基本的には、折り畳み可能なシート状遮光素材により形成した水平配置の筒状部１０ａを単層又は複数層で上下方向に並設してなるハニカム状断面の遮光スクリーン１０を備え（図８参照）、該遮光スクリーン１０の上端を、図７に示しているようなヘッドボックス１１に取り付けると共に、該遮光スクリーン１０の下端に可動桟１２を取り付け、該ヘッドボックス１１をスクリーン枠１５の上枠１６に取り付けて、該ヘッドボックスに設けた昇降機構１３により上記可動桟１２を上下方向に昇降可能に吊下し、上記スクリーン枠１５内に該遮光スクリーンを展張・折り畳み自在に支持させたものである。この可動桟１２を昇降させるための昇降機構１３は、先に図７等を参照して説明した既知のものと格別変わるものではない。
【００２２】
なお、図７の既知の遮光スクリーン装置は、その遮光スクリーンにより高度の遮光を求めるものではなく、例えば、ヘッドボックス１１とスクリーン枠１５の上枠１６との間、及び遮光スクリーン１０の展張位置にある可動桟１２とスクリーン枠１５の下枠１７との間において、光の漏れが生じるかの如く図示しているが、本発明に係る遮光スクリーン装置では、高度な遮光性を得るために該ヘッドボックス１１とスクリーン枠１５の上枠１６との間や、遮光スクリーン１０の展張位置にある可動桟１２と該スクリーン枠の下枠１７との間においては、光の漏れが生じないように遮光する必要があるのは勿論である。
【００２３】
また、上記遮光スクリーン１０の各筒状部１０ａの両端部とそれらが対面するスクリーン枠１５の内側面との間の遮光を行うため、図１、図２等に示すように、上記スクリーン枠１５の側枠１８の内側面に沿って、該筒状部１０ａの端面に接離する遮光部材３０を収容するための溝状部２５ａを備えたコ字状断面の遮光レール部材２５を縦設している。該遮光レール部材２５は、図２或いは図６に明瞭に示すような断面形状を有するところの、上記側枠１８の内側面に沿って固定するＬ形断面のベース部材２６と、それに対して２か所の凹凸部の嵌合により接合する略Ｌ形断面のアタッチ部材２７とによって構成されたものである。
【００２４】
なお、図１及び図２においては、上記遮光レール部材２５をスクリーン枠１５の左側の側枠１８に縦設した構成しか図示していないが、スクリーン枠１５の右側の側枠１８においても、左右対称状に遮光レール部材２５及び以下に説明する各種構成を設けるのは勿論である。
【００２５】
また、上記遮光レール部材２５を構成するベース部材２６は、図９を参照して前述した筒状部１０ａの端部を覆うコ字状断面の防漏レール２０と同様に、遮光スクリーン１０の側端を覆ってそれらを保護するもので、図２及び図６に示すようなほぼ一定断面の型材により形成され、更に、それと一体化している上記アタッチ部材２７も、同図に示すようなほぼ一定断面の型材により形成しているが、その上下端に、後述する遮光部材３０の上下端キャップ３２，３３の係合縁２７ａ，２７ｂを形成している。なお、上記遮光レール部材２５をベース部材２６とアタッチ部材２７との接合によって構成したのは、遮光レール部材２５に対する後述の遮光部材３０の組み付けや解体を容易にするためであり、必ずしも２部材の接合によって構成する必要はない。
【００２６】
これらによって構成された遮光レール部材２５は、前述した図９の筒状部１０ａの端部を覆うコ字状断面の防漏レール２０に近似しているが、それとは機能的に全く異なり、図６に示すように、該アタッチ部材２７における上記筒状部１０ａの端面に対向する部位に、該筒状部端面に接離する上記遮光部材３０を収容するための溝状部２５ａを備え、しかも、そのアタッチ部材２７の上端における溝状部２５ａの両側に、以下に詳述するところの、遮光部材３０の上部を係合保持するための係合縁２７ａを備えると共に、該アタッチ部材２７の下端における該溝状部２５ａの両側に該遮光部材３０の下部を係合保持するための係合縁２７ｂを備え、それらに該遮光部材３０を係合保持させることによって、上記遮光スクリーン１０で遮光を行うときに、該遮光部材３０による遮光スクリーンの側端の確実な遮光を可能にするものである。
【００２７】
ここで、上記遮光レール部材２５に係合保持させる遮光部材３０の構成について具体的に説明するに、該遮光部材３０は、図１、図２及び図６等から分かるように、その本体３１が、遮光スクリーン１０の筒状部１０ａの端部に対面してそこに接離する遮光面３１ａを一側に備えた筒状の部材により形成されると共に、該本体３１の上下端にそれぞれ上端キャップ３２（図３）及び下端キャップ３３（図４）を取り付けることにより構成され、それらが、上記遮光レール部材２５におけるアタッチ部材２７の溝状部２５ａに緩嵌或いは遊嵌する状態において、該本体３１の上下端に取り付けた上記上端キャップ３２及び下端キャップ３３により、該アタッチ部材２７の溝状部２５ａの上下端の両側に設けられた係合縁２７ａ，２７ｂに対して係合保持させるようにしたものである。
【００２８】
このような構成を備えた遮光部材３０は、後述するように、可動桟１２がスクリーン枠１５の最下端にまで降下していないときには、上記遮光レール部材２５に保持される該遮光部材３０の上端部が、上記遮光スクリーン１０の上端部に近接する部位にあるが、その遮光部材３０の下部が遮光スクリーン１０側に傾動するのを可動桟１２により抑制して、該可動桟１２の下降を制限しないように保持される。また、遮光スクリーン１０が展張位置まで下降したときには、遮光部材３０の上記傾動を可能にするだけでなく、その段階では、上記遮光部材３０の遮光面３１ａを上記筒状部１０ａの端部に全面的に接触する方向に押し付けるような位置に変位させ、それにより該筒状部１０ａの端部が遮光できるような位置に保持される。
【００２９】
遮光部材３０の上下端にそれぞれ上端キャップ３２及び下端キャップ３３を固定し、該上端キャップ及び下端キャップのを上記遮光レール部材２５の上下端における溝状部２５ａの両側係合縁２７ａ，２７ｂに対して係合保持させる部分の構成は、可動桟の下降時における上述した遮光部材３０の動きを円滑に行い得るものであることが必要であり、そのため、該上端キャップ３２及び下端キャップ３３の一部が常に遮光レール部材２５の上下端における係合縁２７ａ，２７ｂの一部に対して接触している必要はなく、しかし、係合関係が解除されることはないようにしておく必要がある。
【００３０】
上記遮光部材３０を上記遮光レール部材２５におけるアタッチ部材２７の溝状部２５ａの上端に対して係合保持させる上記上端キャップ３２は、図３に示すような構成を備え、また、アタッチ部材２７の溝状部２５ａの下端に対して係合保持させる上記下端キャップ３３は、図４に示すような構成を備えたものとするのが望ましく、それらの構成及び作用について以下に詳細に説明する。
【００３１】
図３の上端キャップ３２は、その本体部３２ａの左右両側に、図５及び図６に明示しているところの上記遮光レール部材２５の上端における溝状部２５ａの両側の係合縁２７ａに対して、上記遮光部材３０の遮光面３１ａを上記筒状部１０ａの端部に全面的に接離する方向に変位可能に係止させる一対の係止鈎３２ｂを備えている。また、該上端キャップ３２は、図３から分かるように、上記一対の係止鈎３２ｂの間に位置させて、該本体部３２ａと一体化したところの遮光機能部３２ｃと、該遮光機能部３２ｃにおける遮光部材３０の本体３１との連結端側に設けたところの連結部３２ｄとを備えたものである。
【００３２】
上記遮光機能部３２ｃは、上端キャップ３２に設けた取付ピン３５に、図３の（ａ）に示すようなスプリング３６の基端を嵌挿固定して、該スプリング３６の先端を、図１に示すように、上記アタッチ部材２７における溝状部２５ａの内底に押し当てるように構成したものであり、これによって、該スプリング３６の付勢力が上端キャップ３２自体を介して上記遮光部材３０における遮光面３１ａの上端部を、常に上記遮光スクリーン１０の上端部における筒状部１０ａの端部側に押圧保持させることになる。
【００３３】
上記連結部３２ｄは、上記上端キャップ３２を遮光部材３０の本体３１の上端に連結するための構成及び操作を簡単化したもので、該連結部３２ｄの外形を、筒状の部材により構成した遮光部材３０の本体３１内に密に挿入できる形状に形成すると共に、該連結部の表面の一部にコ字状溝３７ａで形成した弾片３７ｂに、該連結部３２ｄの外側に突出する係止凸部３７ｃを設け、一方、上記遮光部材３０の本体３１に、該本体３１内における所定の位置まで上記連結部３２ｄが挿入されたときに、該連結部３２ｄの係止凸部３７ｃが嵌入して位置決めされる嵌入孔３１ｂを設けている。そのため、上記遮光部材３０の本体３１の上端に上端キャップ３２の連結部３２ｄを挿入するだけで、連結部３２ｄの係止凸部３７ｃを本体３１の嵌入孔３１ｂに嵌入して、両者を位置決め状態で連結することができる。
【００３４】
一方、上記遮光部材３０を上記遮光レール部材２５におけるアタッチ部材２７の溝状部２５ａの下端に対して係合保持させる上記下端キャップ３３は、図４に示すような構成を備えるもので、上端キャップ３２の場合と同様に、その本体部３３ａの左右両側に、上記遮光レール部材２５の下端において溝状部２５ａの両側の係合縁２７ｂに係止させる一対の係止鈎３３ｂを備え、図５に示しているような態様での該係合縁２７ｂへの係止により遮光レール部材２５に保持させている。この下端キャップ３３についても、係止鈎３３ｂを上記遮光レール部材２５の下端の溝状部２５ａの両側の係合縁２７ｂに対し、遮光部材３０の遮光面３１ａを上記筒状部１０ａの端部に全面的に接離する方向に変位するように係止保持させているのは勿論である。そして、該一対の係止鈎３３ｂの間には、上記本体部３３ａと一体化した遮光機能部３３ｃと、該遮光機能部３３ｃにおける遮光部材３０の本体３１との連結端側に位置させた連結部３３ｄとを備えている。
【００３５】
上記連結部３３ｄは、遮光部材３０の本体３１の上端に連結する上端キャップ３２の上記連結部３２ｄと同様に、下端キャップ３３を遮光部材３０の本体３１の下端に連結するための構成及び操作を簡単化したもので、外形を筒状の部材により構成した遮光部材３０の本体３１内に下端から密に挿入できる形状に形成し、該連結部３３ｄの表面に、コ字状溝３８ａで形成した弾片３８ｂに、該連結部３３ｄの外側に突出する係止凸部３８ｃを設け、一方、上記遮光部材３０の本体３１に、該本体３１内における所定の位置まで上記連結部３３ｄが挿入されたときに、該連結部３３ｄの係止凸部３８ｃが嵌入して位置決めされる嵌入孔３１ｃを設けている。
【００３６】
上記遮光部材３０の上下端に取り付けた上端キャップ３２及び下端キャップ３３は、遮光スクリーン１０の下端に取り付けている可動桟１２と協働して、簡易な構成により上述の遮光スクリーン１０の側端の遮光を行う遮光機構を構成するものである。そのため、ここでは、上記上端キャップ３２及び下端キャップ３３における遮光機能部３２ｃ，３３ｃと、可動桟１２における上記遮光のための構成を、それらの作用と共に説明する。
【００３７】
前述したところから分かるように、遮光スクリーンに高度の遮光性が求められるのは、スクリーン枠１５内の全体に該遮光スクリーン１０を張設している場合のみであって、該遮光スクリーン１０の開閉操作を行う段階では遮光の必要がなく、しかも、上述の遮光スクリーン１０を用いる場合において遮光の必要があるのは、該遮光スクリーンの両側端における建物開口部の側枠１８の内側面との間の隙間のみである。
【００３８】
そのような隙間の遮光を行うためには、遮光スクリーン１０をスクリーン枠１５の全面に張設した場合、つまり、該遮光スクリーン１０の下端の可動桟１２がスクリーン枠１５の下枠１７に当接するまで下降している場合のみに、遮光スクリーン１０における筒状部１０ａの両端部に、上記遮光部材３０の遮光面３１ａを押し付ければよく、これによって上記筒状部１０ａを通しての光の漏れを無くすことができ、しかも、遮光スクリーンの開閉操作段階での筒状部１０ａに対する遮光部材３０の遮光面３１ａの摩擦接触を無くすことができるので、遮光部材３０の遮光面３１ａによる筒状部１０ａの両端部の摩損を避けることができる。
【００３９】
このような遮光を行うため、上記上端キャップ３２は、その上部の遮光機能部３２ｃにおけるスプリング３６の付勢力で、遮光部材３０における遮光面３１ａの上端部を常に上記遮光スクリーン１０の上端部における筒状部１０ａの端部側に押し付けている。
一方、上記遮光スクリーン１０の下端に取り付けた可動桟１２の両端における遮光部材３０の遮光面３１ａに対向する側端部には、該可動桟１２の昇降時に常に遮光面３１ａに当接してそれを押圧する押圧子１２ａを付設することにより、遮光スクリーン１０の開閉操作段階では、図１の（ａ）に示すように、遮光部材３０の下部を遮光スクリーン１０の端部から離間させる方向に傾斜させているので、遮光面３１ａと上記筒状部１０ａの端部との間に隙間を保持させることができ、これにより、遮光スクリーン１０の両端の遮光部材３０に対向する側端部の摩擦による損耗を防止することができる。
【００４０】
更に、上記遮光部材３０の遮光面３１ａの下端に取り付けた上記下端キャップ３３の遮光機能部３３ｃには、上記可動桟１２がスクリーン枠１５の最下端に達したときに、可動桟１２の押圧子１２ａによる遮光面３１ａの押圧を解消させるための、該押圧子１２ａが嵌入する凹部３９ａを設けている。しかも、上記遮光部材３０の下端キャップ３３と上記可動桟１２との間には、下端キャップ３３を可動桟１２に接触させる方向に付勢する付勢機構を付設している。
【００４１】
図示の実施例における該付勢機構としては、下端キャップ３３の遮光機能部３３ｃにおける凹部３９ａの内側に、マグネット片４２ａの装着孔４１ａを穿設し、該装着孔内にマグネット片４２ａを嵌着して、それを該装着孔内壁に突出させた複数の突子４１ｂにより保持させ、一方、それに対向する可動桟１２の押圧子１２ａの内側には、該マグネット片４２ａとの間で磁気的吸引力を発生させる磁性体４２ｂを配設している。
【００４２】
そのため、上記可動桟１２をスクリーン枠１５の最下端まで降下させたときには、可動桟１２の押圧子１２ａによる遮光面３１ａの押圧が解除されると同時に、上記マグネット片４２ａと上記磁性体４２ｂとの間に磁気的吸着力が作用するようになるので、前記スプリング３６の付勢力で、常に上記遮光スクリーン１０の上端部側に押し付けて吊下されていた遮光部材３０が、図１の（ｂ）に示すように、その吊下位置から垂直に垂れ下がるようになり、それに伴って、上記遮光部材３０における遮光面３１ａが遮光スクリーン１０における筒状部１０ａの端部側に対して全面的に押し付けられ、該筒状部１０ａの端部を安定的に遮光することになる。
【００４３】
なお、上記下端キャップ３３と可動桟１２の押圧子１２ａの内側との間に設けた付勢機構としては、図１の（ｂ）に示す態様に限るものではなく、上記下端キャップ３３と可動桟１２のうちの一方に上記マグネット片４２ａを、他方に上記磁性体４２ｂを設けることができる。
【符号の説明】
【００４４】
１０      遮光スクリーン
１０ａ    筒状部
１１      ヘッドボックス
１２      可動桟
１２ａ    押圧子
１５      スクリーン枠
１６      上枠
１７      下枠
１８      側枠
２５      遮光レール部材
２５ａ    溝状部
２６      ベース部材
２７      アタッチ部材
２７ａ，２７ｂ      係合縁
３０      遮光部材
３１      本体
３１ａ    遮光面
３２      上端キャップ
３２ｂ    係止鈎
３２ｃ    遮光機能部
３３      下端キャップ
３３ｂ    係止鈎
３３ｃ    遮光機能部
３６      スプリング
４２ａ    マグネット片
４２ｂ    磁性体
【図１】
2020090858.tif 000003
【図２】
2020090858.tif 000004
【図３】
2020090858.tif 000005
【図４】
2020090858.tif 000006
【図５】
2020090858.tif 000007
【図６】
2020090858.tif 000008
【図７】
2020090858.tif 000009
【図８】
2020090858.tif 000010
【図９】
2020090858.tif 000011
【図１０】
2020090858.tif 000012